(57)【要約】【課題】モノコック構造化が容易であり、原稿突き当て面の直線性を確保し、操作性の優れた原稿読取装置およびそのカバーを提供する。【解決手段】読取ガラス（原稿台）２３、２４を貼り付ける上部カバー２０の、サイズ指示部２１、２２と読取ガラス貼り付け部２８に挟まれる部分に、原稿突き当て部２５、２６に対して略平行なスリット２７を設ける。また、原稿すくい上げ部２９に貼り付けるサイズ指示板２２には透明部材を使用し、原稿走行面ではない面にサイズ表示を印刷すると共に、サイズ指示板２２の端面のバリが、原稿走行面側に生じないように加工する。【選択図】図１
2005338683.tif 000002
【特許請求の範囲】
【請求項１】
各種の電気機構部品を収容する下部カバーおよび該下部カバー上に配置され開口部を有する略枠状の上部カバーを備え、該上部カバーに取り付けられる読取ガラス上に載置される各種サイズの原稿に含まれる文字や図形等の情報を光学的に読み取り電気信号に変換する原稿読取装置において、
前記上部カバーの前記開口部の１辺を原稿突き当て部とし、前記上部カバーの前記原稿突き当て部に沿って形成された細長いスリットを有することを特徴とする原稿読取装置。
【請求項２】
前記上部カバーの前記スリットは、前記原稿突き当て部の近傍に該原稿突き当て部と略平行に形成されることを特徴とする請求項１に記載の原稿読取装置。
【請求項３】
前記上部カバーは、歪んだ形状の矯正を受けながら前記読取ガラスに貼り付け固定されることを特徴とする請求項１又は２に記載の原稿読取装置。
【請求項４】
前記上部カバーの前記原稿突き当て部に沿って前記スリットを覆うように前記読み取られる原稿のサイズ指示部が設けられることを特徴とする請求項１、２又は３に記載の原稿読取装置。
【請求項５】
前記上部カバーの前記スリットが形成された原稿突き当て部と直交する方向に原稿すくい上げ部が形成され、原稿送り装置から移送される原稿をすくい上げ、前記原稿の移動方向を変更することを特徴とする請求項１乃至４の何れかに記載の原稿読取装置。
【請求項６】
前記原稿すくい上げ部の表面の凹部に原稿のサイズ指示部が形成されることを特徴とする請求項５に記載の原稿読取装置。
【請求項７】
前記サイズ指示部は、透明部材の背面に印刷等により形成されることを特徴とする請求項５又は６に記載の原稿読取装置。
【発明の詳細な説明】
【技術分野】
【０００１】
本発明はファクシミリ装置、複写機およびスキャナ等の如く原稿の読み取りを行う原稿読取装置に関し、特にシート状の原稿を読取ガラスに密着させてこの原稿に含まれる文字や画像等の情報の読み取りを行う原稿読取装置のカバーに関する。
【背景技術】
【０００２】
コンピュータ技術およびネットワーク技術が進歩すると、全ての情報又はデータを電子化および/又は共通ファイル化して電子的に保存すると共に多くのユーザにアクセス可能にするのが好ましい。文字情報や画像情報を電子化することにより、省スペースが可能になると共に、コンピュータやワークステーション等の端末装置を使用して多くのユーザが簡単且つ迅速に利用可能であるので、作業効率が大幅に改善可能である。
【０００３】
このように、紙等の原稿に印字又は印刷された文字や画像情報を読み取り電子化するために、原稿読取装置を使用する。斯かる原稿読取装置は、読み取られる情報が記載された原稿を原稿載置面に載置し、原稿面を光ビームで走査して反射光量を光センサで検出して電気信号に変換して読み取る。
【０００４】
斯かる技術分野に関連する従来技術は、多くの技術文献に開示されている。カバーに原稿ガラスを取付け、カバーの一部を原稿突当部に利用する方式の画像読取装置および画像形成装置が開示されている（例えば、特許文献１参照。）。この従来技術は、カバーがフレームの機能を合わせ持つ、所謂モノコック構造の実現が容易であり、小型化、軽量化および省資源化に好適である。
【０００５】
また、サイズ指示板の位置決めを高精度に行える画像読取装置が開示されている（例えば、特許文献２参照。）。更に、静止した原稿を読取機能と、原稿を走行させつつ読取る機能を兼ね備えた小型化に好適な画像読取装置が開示されている（例えば、特許文献３参照。）。
【０００６】
【特許文献１】特開平１１−３５５４８６号公報（第３頁、第１図、第２図）
【特許文献２】特開２００１-１４２１５７号公報（第２-３頁、第１図、第２図）
【特許文献３】特開平６−６２１７１号公報（第３頁、第１図）
【発明の開示】
【発明が解決しようとする課題】
【０００７】
しかし、上述の如き従来技術は、次に列記する課題の１つ又は全てを有する。原稿突き当て部の直線性や直角度により原稿の位置決めが行われているので、カバーの寸法誤差および/又は反りや歪により位置決め誤差を生じる。特に、Ａ３サイズ等の大きい原稿の情報を読み取るためにカバーを大型にするほど誤差が顕著になる。サイズ指示板を原稿突き当てに兼用する構成では、複雑となり、専用の成形金型を必要とし、更にフレームおよびカバーは別部品とするので、高価になる。また、装置全体の小型化が困難である。
【０００８】
本発明は、従来技術の上述した課題に鑑みなされたものであり、これらの課題を解決又は軽減する原稿読取装置を提供することを目的とする。
【課題を解決するための手段】
【０００９】
前述の課題を解決するため本発明による原稿読取装置は次のような特徴的な構成を採用している。
【００１０】
（１）各種の電気機構部品を収容する下部カバーおよび該下部カバー上に配置され開口部を有する略枠状の上部カバーを備え、該上部カバーに取り付けられる読取ガラス上に載置される各種サイズの原稿に含まれる文字や図形等の情報を光学的に読み取り電気信号に変換する原稿読取装置において、
前記上部カバーの前記開口部の１辺を原稿突き当て部とし、前記上部カバーの前記原稿突き当て部に沿って形成された細長いスリットを有する原稿読取装置。
【００１１】
（２）前記上部カバーの前記スリットは、前記原稿突き当て部の近傍に該原稿突き当て部と略平行に形成される上記（１）の原稿読取装置。
【００１２】
（３）前記上部カバーは、歪んだ形状の矯正を受けながら前記読取ガラスに貼り付け固定される上記（１）又は（２）の原稿読取装置。
【００１３】
（４）前記上部カバーの前記原稿突き当て部に沿って前記スリットを覆うように前記読み取られる原稿のサイズ指示部が設けられる上記（１）、（２）又は（３）の原稿読取装置。
【００１４】
（５）前記上部カバーの前記スリットが形成された原稿突き当て部と直交する方向に原稿すくい上げ部が形成され、原稿送り装置から移送される原稿をすくい上げ、前記原稿の移動方向を変更する上記（１）乃至（４）の何れかの原稿読取装置。
【００１５】
（６）前記原稿すくい上げ部の表面の凹部に原稿のサイズ指示部が形成される上記（５）の原稿読取装置。
【００１６】
（７）前記サイズ指示部は、透明部材の背面に印刷等により形成される上記（５）又は（６）の原稿読取装置。
【発明の効果】
【００１７】
本発明の原稿読取装置によると、次の如き実用上の顕著な効果が得られる。即ち、上部カバーの1辺を原稿突き当て部とするので、別部品を設ける必要がなく、小型且つ安価に組立製造可能である。また、一般にプラスチックの射出成形で形成される上部カバーは、原稿突き当て面に沿って形成されたスリットを有し、治具等で歪矯正後に読取ガラスに貼り付けられるので、異常変形を生じることなく高精度化が可能である。上部カバーのスリットを覆うようにサイズ指示部を配置するので、スリットが露出することなく、優れた外観が得られる。更に、静止原稿の読み取りのみならず原稿移送装置で移動する原稿の読み取りにも適用可能である。
【実施例１】
【００１８】
以下、本発明による原稿読取装置の好適実施例について、添付図面を参照して詳細に説明する。
【００１９】
先ず、図１は、本発明による原稿読取装置の好適実施例の全体の外観を示す斜視図である。この原稿読取装置１０は、上部カバー２０および下部カバー３０により構成される。図２は、上部カバー２０のみの斜視図である。後述する如く、上部カバー２０は、読み取られる原稿を載置するガラス等の透明部材の原稿台である読取ガラスを有する。一方、下部カバーは、当業者に周知の如く、原稿の文字や図形等の情報を読み取る光学読取装置や信号処理を行う各種の電気機構部品等を収納する。
【００２０】
次に、図３は、図１中の線３−３に沿う上部カバー２０の断面図である。図４は、図１中の線４-４に沿う上部カバー２０の断面図である。
【００２１】
図１〜図４に示す如く、原稿読取装置１０の上部カバー２０は、サイズ指示部２１、２２、読取ガラス２３、２４、原稿突き当て部２５、２６、スリット２７、サイズ指示部の貼り付け面２８およびすくい上げ部２９を備えている。
【００２２】
ここで、シート状の原稿を原稿読取装置１０の読取ガラス２３に密着させて読み取るには、原稿突き当て部２５、２６に原稿の端面を押し付ける。ユーザ（即ち、原稿読み取り装置１０の使用者）は、サイズ指示部２１、２２により原稿のサイズを確認する。もし原稿突き当て部２５、２６が曲線になり又は相互に正確に直交していなければ、原稿読取装置１０に原稿を正確にセットすることができない。
【００２３】
シート状の原稿を走行させて読み取るときは、自動原稿送り装置（図示せず）から１枚ずつ供給された原稿が、読取ガラス２４上を通過し読み取られた後、原稿すくい上げ部２９を兼ねるサイズ指示部２２上を通過し、上述した自動原稿送り装置により原稿読取装置１０から排出される。
【００２４】
読取ガラス２３、２４とサイズ指示部２１、２２は、上部カバー２０に、例えば両面テープ等により接着されてモノコック構造をなす。図２に示す上部カバー２０は、例えばプラスチックの射出成型により略枠状に製造される。この上部カバー２０に形成された開口部は、それぞれ読取ガラス２３、２４により塞がれる。
【００２５】
また、上部カバー２０には、貼り付け部２８なる凹みがあり、ここにサイズ指示部２１が貼り付けられる。この貼り付け部２８には、原稿突き当て部２５と略平行なスリット２７が形成されている。このスリット２７は、図３に示すごとくサイズ指示部２１と読取ガラス２３に挟まれるので、図１に示す組立状態ではユーザから見えない位置にある。
【００２６】
貼り付け部２８の幅は、後述する理由により、サイズ指示部２１の幅より若干広く設定されている。すくい上げ部２９には、サイズ指示部２２が貼り付けられる。原稿すくい上げ部２９の読取ガラス２４に近い側は、図４（Ａ）に示す如く、読取ガラス２４の表面よりも十分低い位置に設定されている。そこで、サイズ指示部２２を貼り付けても、上下関係が逆転しないように配慮されている。これは読取ガラス２４から原稿すくい上げ部２９へ向かって走行してきた（又は移送されてきた）シート状の原稿が引っかからないようにするためである。尚、参考のために図４（Ｂ）に従来の上部カバーの断面図を示しており、対応する構成要素には同様の参照符号を使用している。
【００２７】
ここで、サイズ指示部２２は、図５に示す如く、上面のエッジはＲになるように上面からヌキ加工され裏面からサイズ指示２２ａが印刷されるので、透明な素材を使用する。上面のエッジがＲになるように加工するのは、走行する原稿先端がサイズ指示部２２を通過する際に引っかからないようにするためである。
【００２８】
次に、図６（Ａ）〜（Ｄ）の模式図を参照して、本発明による原稿読取装置１０の特徴を説明する。図６（Ａ）および（Ｂ）は、上部カバー２０にスリット２７が形成されていない（従来例又は参考例）の歪矯正前後の状態を示す。他方、図６（Ｃ）および（Ｄ）は、上部カバー２０にスリット２７が形成された場合（本発明）の歪矯正前後の状態を示す。
【００２９】
上部カバー２０は、例えばプラスチック材料により射出成型されるので、種々の歪を持っている。図６（Ａ）は、これらの歪の１例を示す上部カバー２０の上面図である。上述の如く、原稿突き当て部２５、２６が正確に直角になっていないと、原稿の端面を原稿突き当て部２５、２６の両方に同時に押し当てることができない。そこで、読取ガラス２３を貼り付ける際に、ジグ等により歪を矯正しておく必要がある。読取ガラス２３が一旦貼り付けられれば、読取ガラス２３の強度が上部カバー２０の強度より十分勝っているので、上部カバー２０の形状は固定される。
【００３０】
しかし、直感的にも明らかなように、図６（Ａ）に示す如く平行四辺形（略菱形状）に歪んだものを、図６（Ｂ）に示す如く無理に矯正すると、原稿突き当て部２５は、弓なりに反ってしまう。即ち、原稿突き当て部２５の中央部分が凸になってしまい、これを矯正するのは非常に困難である。
【００３１】
他方、本発明による原稿読取装置１０の上部カバー２０にスリット２７が形成されている場合には、図６（Ｃ）に示す如く上述と同様に歪んでおり、これを上述と同様に矯正する。この場合には、図６（Ｄ）に示す如くスリット２７の突き当て面に近い側は、図６（Ｂ）と同様に弓なりに反るが、原稿突き当て部２５自体は治具等により容易に矯正して直線性を確保できる。
【００３２】
この状態で、スリット２７と原稿突き当て部２５の間に読取ガラス２３を接着すれば、直線性と直角度が確保される。ここで、サイズ指示部の貼り付け部２８の幅は、スリット２７が反りを吸収する分を見込んで、サイズ指示部２１より広く設定する必要がある。
【００３３】
以上、本発明による原稿読取装置の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【００３４】
例えば、サイズ指示部２２は、ユポ等の化学紙上面に印刷したものでも十分使用に耐えることが実験で確認された。この場合でも、上面にバリがないように加工する必要がある。また、図５では、サイズ指示部の断面形状を分かり易く表示するために、板厚を厚く表示しているが、実際にはシート状部材を使用してよいこと勿論である。
【図面の簡単な説明】
【００３５】
【図１】本発明による原稿読取装置の好適実施例の全体外観を示す斜視図である。
【図２】図１中の上部カバーの斜視図である。
【図３】図１中の線３-３に沿う上部カバーおよび読取ガラスの断面図である。
【図４】図１中の線４−４に沿う断面図を示し、（Ａ）は本発明であり、（Ｂ）は参考として示す従来例である。
【図５】本発明による原稿読取装置の上部カバーのサイズ指示部の断面図である。
【図６】本発明の効果を説明する図であり、（Ａ）および（Ｂ）はスリットがない上部カバーの歪矯正前後を示し、（Ｃ）および（Ｄ）はスリットが形成されている上部カバーの歪矯正前後の状態を示す。
【符号の説明】
【００３６】
１０  原稿読取装置
２０  上部カバー
２１、２２  サイズ指示部
２３、２４  読取ガラス
２５、２６  原稿突き当て部
２７  スリット
２８  サイズ指示部の貼り付け部
２９  原稿すくい上げ部
３０  下部カバー
【図１】
2005338683.tif 000003
【図２】
2005338683.tif 000004
【図３】
2005338683.tif 000005
【図４】
2005338683.tif 000006
【図５】
2005338683.tif 000007
【図６】
2005338683.tif 000008